(57)【要約】      （修正有）【課題】面材が確実に接着される面材ユニット、建具及び面材取付方法をを提供する。【解決手段】面材５と、面材５の周端部を収容する面材収容部３３１を備えた枠体と、を有し、面材収容部３３１は、面材５の一方の面に当接され弾性変形可能な面材当接部６を備えた第一対向部３３２と、面材５の他方の面と対向し面材５と接着される第二対向部３３３とを有する。面材５は、一方の面が枠体の弾性変形可能な面材当接部６を備えた第一対向部３３２に当接され、他方の面が第二対向部３３３と接着されているので、第二対向部３３３に接着剤を塗布し、面材５を第一対向部３３２側に押圧して面材当接部６を弾性変形させつつ、面材５の周端部を面材収容部内３３１に挿入することにより、面材が確実に接着される。【選択図】図３
2018021323.tif 000002
【特許請求の範囲】
【請求項１】
面材と、
前記面材の周端部を収容する面材収容部を備えた枠体と、
を有し、
前記面材収容部は、前記面材の一方の面に当接され弾性変形可能な面材当接部を備えた第一対向部と、
前記面材の他方の面と対向し当該面材と接着される第二対向部とを有することを特徴とする面材ユニット。
【請求項２】
請求項１に記載の面材ユニットであって、
前記面材当接部は、前記面材が接着されている位置より、前記面材の面内方向において当該面材の中央側に設けられていることを特徴とする面材ユニット。
【請求項３】
請求項１または請求項２に記載の面材ユニットであって、
前記面材当接部は、前記面材の前記他方の面が接着されて前記一方の面に当接されている状態より、前記面材の厚み方向に圧縮可能であることを特徴とする面材ユニット。
【請求項４】
請求項１乃至請求項３のいずれかに記載の面材ユニットであって、
前記面材当接部は、前記第一対向部と前記面材との間を止水する止水部と、前記止水部の、前記面材の面内方向において当該面材の中央側にて前記面材に当接される中央当接部と、を有していることを特徴とする面材ユニット。
【請求項５】
請求項１乃至請求項４のいずれかに記載の面材ユニットと、
躯体に固定されて前記面材ユニットを支持する支持枠と、
を有することを特徴とする建具。
【請求項６】
面材の周端部を収容し、前記面材の一方の面に当接され前記面材の厚み方向に圧縮可能な面材当接部を備えた第一対向部と、前記面材の他方の面と対向し前記面材と接着される第二対向部とを有する面材収容部を備えた枠の、前記第二対向部に、接着剤を塗布する接着剤塗布工程と、
前記面材の前記一方の面にて前記面材当接部を押圧しつつ前記面材の周端部を前記面材収容部に収容させる面材収容工程と、
前記面材を押圧する押圧力を解除して前記面材の他方側の面を前記第二対向部と接着する接着工程と、
を有する面材取付方法。
【発明の詳細な説明】
【技術分野】
【０００１】
本発明は、面材の周端部が枠体に収容されている面材ユニット、建具及び面材取付方法に関する。
【背景技術】
【０００２】
面材の周端部が枠体に収容されている面材ユニットとしては、例えば、ガラスパネルの周端部が横框、戸先框及び召合せ框に挿入されて接着された障子が知られている（例えば、特許文献１参照）。この障子は、例えば横框は、ガラスパネルの端部が挿入されて当該ガラスパネルの両面とそれぞれ対向する２つの片を有する開口部を有している。ガラスパネルは、開口部に挿入されて接着剤により接着されている。
【先行技術文献】
【特許文献】
【０００３】
【特許文献１】特開２０１６−４１９０６号公報
【発明の概要】
【発明が解決しようとする課題】
【０００４】
上記のような障子は、開口部に収容されたガラスパネル等の面材を開口部の奥側で接着すると、開口部の開放端側から雨水等が開口部内に浸入する虞があるため、開放端側にて接着する場合がある。この場合には、開口部を形成する片の開放端側に接着剤を塗布した状態で、開口部に面材を挿入するため、挿入される面材のエッジにより、塗布されている接着剤がそぎ落とされて充分な接着力が得られない虞がある。
【０００５】
本発明は、かかる課題に鑑みてなされたものであり、その目的とするところは、面材が確実に接着される面材ユニット、建具及び面材取付方法を提供することにある。
【課題を解決するための手段】
【０００６】
かかる目的を達成するために本発明の面材ユニットは、面材と、前記面材の周端部を収容する面材収容部を備えた枠体と、を有し、前記面材収容部は、前記面材の一方の面に当接され弾性変形可能な面材当接部を備えた第一対向部と、前記面材の他方の面と対向し当該面材と接着される第二対向部とを有することを特徴とする面材ユニットである。
【０００７】
このような面材ユニットによれば、面材は、一方の面が枠体の弾性変形可能な面材当接部を備えた第一対向部に当接され、他方の面が第二対向部と接着されているので、第二対向部に接着剤を塗布し、面材を第一対向部側に押圧して面材当接部を弾性変形させつつ、面材の周端部を面材収容部内に挿入することが可能である。このため、挿入される面材を第二対向部に塗布されている接着剤と接触させることなく面材収容部に挿入し、面材と第二対向部とを接着剤により確実に接着することが可能である。このため、面材が確実に接着される面材ユニットを提供することが可能である。
【０００８】
かかる面材ユニットであって、前記面材当接部は、前記面材が接着されている位置より、前記面材の面内方向において当該面材の中央側に設けられていることが望ましい。
このような面材ユニットによれば、面材収容部に面材を挿入する際には、面材は接着剤より先に面材当接部に接触する。このため、面材を面材収容部に挿入する際には、予め面材により面材当接部を押圧して、接着剤との間隔を確保した状態で面材を挿入することが可能である。このため、面材の面材収容部への挿入時において、挿入される面材と第二対向部に塗布された接着剤との接触をより確実に防止することが可能である。
【０００９】
かかる面材ユニットであって、前記面材当接部は、前記面材の前記他方の面が接着されて前記一方の面に当接されている状態より、前記面材の厚み方向に圧縮可能であることが望ましい。
このような面材ユニットによれば、面材当接部は、面材の他方の面が接着されて一方の面に当接されている状態より、面材の厚み方向に圧縮可能なので、接着前に、面材により面材当接部を圧縮することにより、挿入される接着剤と面材との間隔をより確実に空けることが可能である。
【００１０】
かかる面材ユニットであって、前記面材当接部は、前記第一対向部と前記面材との間を止水する止水部と、前記止水部の、前記面材の面内方向において当該面材の中央側にて前記面材に当接される中央当接部と、を有していることが望ましい。
このような面材ユニットによれば、面材収容部に面材を挿入する際には、面材当接部の止水部が面材と共に面材収容部側に引き込まれ、止水部の面材側に窪みが生じる虞があるが、止水部の、面材の面内方向において当該面材の中央側にて面材に当接される中央当接部を有しているので、中央当接部により窪みを覆うことが可能である。
【００１１】
また、前記面材ユニットと、躯体に固定されて前記面材ユニットを支持する支持枠と、を有することを特徴とする建具である。
このような建具によれば、面材が確実に接着される面材ユニットを支持枠に支持させて躯体に固定することが可能である。
【００１２】
また、面材の周端部を収容し、前記面材の一方の面に当接され前記面材の厚み方向に圧縮可能な面材当接部を備えた第一対向部と、前記面材の他方の面と対向し前記面材と接着される第二対向部とを有する面材収容部を備えた枠の、前記第二対向部に、接着剤を塗布する接着剤塗布工程と、前記面材の前記一方の面にて前記面材当接部を押圧しつつ前記面材の周端部を前記面材収容部に収容させる面材収容工程と、前記面材を押圧する押圧力を解除して前記面材の他方側の面を前記第二対向部と接着する接着工程と、を有する面材取付方法である。
【００１３】
このような面材取付方法によれば、第二対向部に接着剤を塗布し、面材を第一対向部側に押圧して面材当接部を圧縮しつつ、面材の周端部を面材収容部に挿入するので、挿入される面材を、第二対向部に塗布されている接着剤と接触させることなく面材収容部に挿入することが可能である。このため、面材と第二対向部とを確実に接着することが可能である。
【発明の効果】
【００１４】
本発明によれば、面材が確実に接着された面材ユニット、建具及び面材取付方法を提供することが可能である。
【図面の簡単な説明】
【００１５】
【図１】本実施形態に係る建具の縦断面図である。
【図２】本実施形態に係る建具の横断面図である。
【図３】図３（ａ）は、対向面に接着剤を塗布した状態を示す横断面図、図３（ｂ）は、複層ガラスをガラス収容部に挿入する状態を示す横断面図、図３（ｃ）は、ガラス当接部を圧縮して複層ガラスをガラス収容部に挿入した状態を示す横断面図、図３（ｄ）複層ガラスが接着された状態を示す横断面図である。
【図４】図４（ａ）は、ガラス当接部の第１変形例を示す横断面図であり、図４（ｂ）は、ガラス当接部の第２変形例を示す横断面図である。
【発明を実施するための形態】
【００１６】
以下、本発明の一実施形態に係る面材ユニット、建具及び面材取付方法について図面を参照して説明する。
本実施形態では、図１、図２に示すように、建物の躯体１に取り付けられた支持枠としての窓枠２と、窓枠２に支持され面材ユニットとしての２枚の障子３とを備えた引違い窓用の建具４を例に挙げて説明する。
【００１７】
以下の説明においては、建物等に取り付けられた建具４を室内側から見たときに、上下となる方向を上下方向、左右となる方向を左右方向、室内外方向である奥行き方向を見込み方向として示す。また、建具４の各部位であっても、また、建具４を構成する各部材については単体の状態であっても、建具４が取り付けられた状態で上下方向、左右方向、見込み方向となる方向にて方向を特定して説明する。
【００１８】
本実施形態の建具４は、上下の横枠２ａと左右の縦枠２ｂとが矩形状に接合されて開口を形成する窓枠２が躯体１に固定されている。窓枠２には、内周側に全周に渡って突出する突部２ｃが設けられている。上下の横枠２ａに設けられている突部２ｃは、障子３の上下端部に設けられている上凹部３ａ及び下凹部３ｂに挿入されて障子３が案内されるレールをなしており、左右の縦枠２ｂに設けられた突部２ｃは、障子３を閉じたときに障子３の戸先側の端部に設けられた戸先凹部３ｃに挿入されるように構成されている。
【００１９】
障子３は、上框３１、下框３２、戸先框３３及び召合せ框３４が矩形状に接合されている框体３０と、框体３０の内周側に、端部が収容されるとともに上框３１、下框３２、戸先框３３及び召合せ框３４に接着されている面材としての複層ガラス５と、を有している。
【００２０】
上框３１、下框３２、戸先框３３及び召合せ框３４は、いずれも各々の長手方向を押出方向とする合成樹脂製の押出成形部材である。上框３１、下框３２、戸先框３３及び召合せ框３４に収容された複層ガラス５の端部が接着されている状態及び作用効果は同じなので、以下では、戸先框３３を例に挙げ、図３を参照して説明する。また、以下の説明では、上框３１、下框３２、戸先框３３及び召合せ框３４において、同一の方向を示すように、矩形状をなす框体３０の内側となる複層ガラス５の面内方向において当該複層ガラス５の中央側を内周側、框体３０の外側を外周側として説明する。すなわち、室外側に位置する障子(外障子)３の戸先框３３においては、図３における左側を外周側、右側を内周側として説明する。
【００２１】
障子３の戸先框３３は、框体３０の外周側に戸先凹部３ｃが設けられ、框体３０の内周側には、内周側が開放されて外周側に窪み複層ガラス５の端部が収容される面材収容部としてのガラス収容部３３１が設けられている。ガラス収容部３３１は、端部が収容されている複層ガラス５の一方の面としての室内側の面５ａと対向する第一対向部としての室内対向部３３２と、複層ガラス５の他方の面としての室外側の面５ｂと対向する第二対向部としての室外対向部３３３と、室内対向部３３２と室外対向部３３３との外周側の端部を連結する連結壁部３３４と、を有している。すなわち、ガラス収容部３３１は、戸先框３３の長手方向に沿って設けられ、内周側が開放された溝状をなしており、開放されている内周側から複層ガラス５が挿入されている。
【００２２】
室内対向部３３２は、ガラス収容部３３１の開放された端部側に、対向する室外対向部３３３側に向かって突出し収容される複層ガラス５に当接されて、弾性変形可能な面材当接部としてのガラス当接部６を有している。
【００２３】
ガラス当接部６は、複層ガラス５が収容されていない状態で、室内対向部３３２とほぼ直交する方向に突出された止水部６ａと、止水部６ａの室内対向部３３２より室外側に突出している部分の元側から内周側に向かうにつれて室外側に位置するように傾斜して設けられている中央当接部６ｂと、を有している。
【００２４】
止水部６ａは、複層ガラス５が挿入される際に、複層ガラス５に引っ張られて外周側に屈曲し、室内対向部３３２のガラス当接部６より外周側の部位と複層ガラス５との間にて圧縮される。止水部６ａが複層ガラス５に引っ張られて外周側に屈曲したときに、止水部６ａと一体をなす中央当接部６ｂは、止水部６ａの屈曲に伴って、止水部６ａとの境界部分を中心として先端が複層ガラス５側に移動し、複層ガラス５に引っ張られた止水部６ａの複層ガラス５側に形成された窪みを内周側から覆うとともに複層ガラス５に当接される。
【００２５】
室外対向部３３３は、ガラス収容部３３１の開放された端部側に、接着剤７が塗布され、挿入された複層ガラス５とほぼ平行をなして対面する対向面３３３ａを備えた接着部３３３ｂが、室内側に突出させて設けられている。対向面３３３ａの内周側及び外周側の縁には、戸先框３３の長手方向に沿って２つの突起３３３ｃ、３３３ｄが設けられている。
【００２６】
２つの突起３３３ｃ、３３３ｄのうちの内周側に位置する突起３３３ｃは、弾性変形可能な合成樹脂にて形成されており、室内対向部３３２に設けられた止水部６ａと対向する位置に設けられている。また、接着剤７は、２つの突起３３３ｃ、３３３ｄの間の対向面３３３ａに突起３３３ｃ、３３３ｄより突出するように塗布されている。このため、対向面３３３ａに塗布される接着剤７は、複層ガラス５が収容されていない状態で、ガラス当接部６より外周側に設けられている。
【００２７】
弾性変形可能なガラス当接部６及び内周側の突起３３３ｃは、戸先框３３の他の部位より軟質の合成樹脂でなり、戸先框３３は、ガラス当接部６及び内周側の突起３３３ｃを形成する軟質の合成樹脂と、戸先框３３における、ガラス当接部６及び内周側の突起３３３ｃを除く部位を形成し、前記軟質の合成樹脂より硬質の合成樹脂と、により二色成形により一体に形成されている。
【００２８】
戸先框３３に複層ガラス５を接着する方法は、まず、戸先框３３の室外対向部３３３における対向面３３３ａに接着剤７を塗布し（接着剤塗布工程）、連結壁部３３４にセッティングブロック８を配置する。
【００２９】
次に、戸先框３３に、内周側から複層ガラス５を近づける。このとき、複層ガラス５の外周端面５ｃをガラス当接部６の止水部６ａにおける、中央当接部６ｂより突出している部位に当接し、複層ガラス５の室内側の面５ａを中央当接部６ｂに当接する。
【００３０】
次に、複層ガラス５にてガラス当接部６を室内側に押圧し圧縮しつつ、複層ガラス５が、対向面３３３ａに塗布されている接着剤７に接触しないように、複層ガラス５をガラス収容部３３１内に挿入する（面材収容工程）。
【００３１】
複層ガラス５の外周端面５ｃがセッティングブロック８に当接した後に、複層ガラス５の室内側への押圧力を解除することによりガラス当接部６の圧縮が弱まりつつ複層ガラス５が室外側にガラス当接部６の弾性により移動し、接着剤７を押圧しつつ複層ガラス５の室外側の面５ｂが室外対向部３３３に設けられている２つの突起３３３ｃ、３３３ｄに当接される（接着工程）。すなわち、ガラス当接部６は、複層ガラス５が接着されている状態よりも見込み方向（複層ガラス５の厚み方向）に圧縮することが可能である。
その後、接着剤７が硬化することにより複層ガラス５が戸先框３３に接着される。
【００３２】
本実施形態の障子３及び建具４によれば、ガラス収容部３３１に複層ガラス５を挿入する際には、複層ガラス５は接着剤７より先にガラス当接部６に接触する。このため、複層ガラス５をガラス収容部３３１に挿入する際には、予め複層ガラス５によりガラス当接部６を押圧して、接着剤７との間隔を確保しつつ複層ガラス５を挿入することが可能である。このため、複層ガラス５のガラス収容部３３１への挿入時において、室外対向部３３３に塗布された接着剤７と複層ガラス５との接触をより確実に防止することが可能である。
【００３３】
また、ガラス当接部６は、室外側の面５ｂが接着された複層ガラス５の室内側の面５ａに当接されている状態より、見込み方向に圧縮可能なので、接着前には、複層ガラス５によりガラス当接部６を圧縮することにより、接着剤７と複層ガラス５との間隔をより確実に空けることが可能である。
【００３４】
また、ガラス収容部３３１に複層ガラス５を挿入する際には、ガラス当接部６の止水部６ａが複層ガラス５と共にガラス収容部３３１側に引き込まれ、止水部６ａの複層ガラス５側に窪みが生じる虞があるが、止水部６ａの、複層ガラス５の面内方向において当該複層ガラス５の中央側にて複層ガラス５に当接される中央当接部６ｂを有しているので、中央当接部６ｂにより窪みを覆うことが可能である。
また、複層ガラス５が確実に接着された障子３を窓枠２に支持させて躯体１に固定される建具４を提供することが可能である。
【００３５】
また、本実施形態の複層ガラス５の装着方法によれば、室外対向部３３３に接着剤７を塗布し、複層ガラス５を室内対向部３３２側に押圧してガラス当接部６を圧縮しつつ、複層ガラス５の周端部をガラス収容部３３１に挿入するので、室外対向部３３３に塗布されている接着剤７と接触させることなく複層ガラス５をガラス収容部３３１に挿入することが可能である。このため、複層ガラス５と室外対向部３３３とを確実に接着することが可能である。
【００３６】
上記実施形態においては、ガラス当接部６が中央当接部６ｂを備えている例について説明したがこれに限るものではない。例えば、図４（ａ）に示すガラス当接部６１のように、室内対向部３３２とほぼ直交する方向に突出する形態であっても構わない。また、図４（ｂ）に示すガラス当接部６２のように、先端が屈曲されており、ガラス当接部６２が複層ガラス５と共にガラス収容部３３１側に引き込まれたときに、ガラス当接部６２の複層ガラス５側に窪みが生じにくい形態であっても構わない。
【００３７】
また、上記実施形態においては面材を複層ガラス５とした例について説明したが、これに限らず、框体の内周側に、周端部が収容される単板ガラスや内装材等であっても構わない。
【００３８】
上記実施形態においては、２枚の障子３を備える引違い窓用の建具４を例に挙げて説明したが、これに限らず、例えば、開き戸、すべり出し窓用の障子及びＦＩＸ窓など、縦框と横框とが矩形状に接合される框体を備える障子及び建具であれば構わない。
【００３９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４０】
１  枠体、２  窓枠、２ａ  横枠、２ｂ  縦枠、３  障子、４  建具、５  複層ガラス、
５ａ  室内側の面、５ｂ  室外側の面、６  ガラス当接部、６ａ  止水部、
６ｂ  中央当接部、７  接着剤、３０  框体、３３  戸先框、３３１  ガラス収容部、
３３２  室内対向部、３３３室外対向部、
【図１】
2018021323.tif 000003
【図２】
2018021323.tif 000004
【図３】
2018021323.tif 000005
【図４】
2018021323.tif 000006